(57)【要約】【課題】  包装体内において物品を緩衝状態で確実に支持し得る物品の緩衝支持部材を提供することを目的とする。【解決手段】  板状体３に貫通孔４を設け、板状体３の一方側面にフィルム５を貼着し、貫通孔４を閉鎖しているフィルム５の面内であって、貫通孔４の周縁から何れも離間した位置に、フィルム５の平坦面５’を介して柔軟な物品嵌合凹部６を塑性変形により形成し、板状体３の側部を折曲して支持脚７を形成すると共に、支持脚７の長さを物品嵌合凹部６の深さより長く形成し、板状体３を支持脚７が包装体１内面に当接した状態で包装体１に設置した状態において、包装体内面１ａと物品嵌合凹部６との間に物品緩衝空間Ｓが形成されるように構成する。【選択図】  図２
2014076847.tif 000002
【特許請求の範囲】
【請求項１】
包装体の内部に設置されて物品を緩衝状態に支持する物品の緩衝支持部材であって、
板状体に貫通孔を設け、該板状体の一方側面に熱可塑性合成樹脂薄フィルムを張設状態で貼着することにより上記貫通孔を当該フィルムにて閉鎖し、
上記貫通孔を閉鎖している上記熱可塑性合成樹脂薄フィルムの面内であって、上記貫通孔の周縁から何れも離間した位置に、上記フィルムの平坦面を介して嵌合すべき物品の形状に対応する柔軟な物品嵌合凹部を塑性変形により形成し、
上記板状体の上記貫通孔が形成されていない部分の側部を上記物品嵌合凹部の凹設方向に折曲して支持脚を形成すると共に、上記支持脚の折曲長さを上記物品嵌合凹部の深さより長く形成し、
上記板状体を、上記支持脚の端部及び／又は側面が上記包装体内面に当接した状態で上記包装体に設置した状態において、上記包装体内面と上記物品嵌合凹部との間に物品緩衝空間が形成されるように構成したものであることを特徴とする物品の緩衝支持部材。
【請求項２】
上記支持脚は、上記板状体の上記貫通孔が形成されていない部分の一方の側部又は両方の側部又は四方の側部を折曲することにより形成されたものである請求項１記載の物品の緩衝支持部材。
【請求項３】
上記板状体は段ボールシート又は厚紙又はプラスチック段ボール又はプラスチックシートである請求項１又は２記載の物品の緩衝支持部材。
【請求項４】
上記物品の緩衝支持部材を一対とし、これら緩衝支持部材を上記各熱可塑性合成樹脂薄フィルムが縦方向となるように上記包装体内の２箇所に設置すると共に、上記各設置箇所において上記支持脚を上記包装体内面に当接することにより上記包装体内面と上記物品嵌合凹部との間に上記物品緩衝空間を形成し、
一方の上記緩衝支持部材の上記物品嵌合凹部に上記物品の一端部を嵌合し、他方の上記緩衝支持部材の上記物品嵌合凹部に上記物品の他端部を嵌合した状態において、上記物品を上記包装体内において、上記包装体内面に当接しない緩衝状態に支持し得るように構成したものであることを特徴とする請求項１〜３の何れかに記載の物品の緩衝支持部材を使用した包装装置。
【請求項５】
上記物品の緩衝支持部材を一対とし、これら緩衝支持部材を上記各熱可塑性合成樹脂薄フィルムが水平方向となるように上記包装体内の２箇所に設置すると共に、上記各設置箇所において上記支持脚を上記包装体内面に当接することにより上記包装体内面と上記物品嵌合凹部との間に上記物品緩衝空間を形成し、
一方の上記緩衝支持部材の上記物品嵌合凹部に上記物品の一端部を嵌合し、他方の上記緩衝支持部材の上記物品嵌合凹部に上記物品の他端部を嵌合した状態において、上記物品を上記包装体内において、上記包装体内面に当接しない緩衝状態に支持し得るように構成したものであることを特徴とする請求項１〜３の何れかに記載の物品の緩衝支持部材を使用した包装装置。
【請求項６】
上記物品緩衝空間における上記包装体内面と上記緩衝支持部材との間に介在するものであり、
上記包装体内面と上記緩衝支持部材の上記板状体との間に位置することで、上記物品緩衝空間の大きさを拡大し得るスペーサ部材を設けたものであることを特徴とする請求項４又は５記載の物品の緩衝支持部材を使用した包装装置。
【発明の詳細な説明】
【技術分野】
【０００１】
本発明は、物品を包装箱等の包装体内に収納する際、包装体内で物品を緩衝状態で支持するための物品の緩衝支持部材及びその物品の緩衝支持部材を使用した包装装置に関するものである。
【背景技術】
【０００２】
従来、携帯電話等の各種電子機器類、コンパクト等の化粧品類その他各種物品の包装体は、外部からの衝撃を緩衝し、包装される物品に衝撃が及ばないように各種の工夫がなされている。
【０００３】
例えば、板材に物品挿入用の穴を設けると共に、当該板材の表面にシートを張設し、上記穴内において上記シートを凹状に変形加工し、上記板材を包装箱に嵌合し、上記シートの凹状部分に物品を宙吊り状態で収納する包装体が提案されている（特許文献１，２）。
【０００４】
或いは、弾性を有するフィルムが前面側に張設された一対の包装箱を設け、包装すべき物品をその両側から上記一対のフィルムで被覆することで、上記フィルム間に上記物品を宙吊り状態で包装する包装体が提案されている（特許文献３）。
等参照）。
【先行技術文献】
【特許文献】
【０００５】
【特許文献１】特開昭４８−５７７９２
【特許文献２】実開昭４９−１６３７９
【特許文献３】特開２００１−２７８３４３
【発明の概要】
【発明が解決しようとする課題】
【０００６】
ところで、上記特許文献１，２の板材は、その穴に設けられたシートの凹部の上面開口周縁が、上記板材の穴の開口部の周縁の位置に設けられているため、上記凹部に物品を収納した場合、当該物品の側面が上記板材の上記穴の開口周縁に当接する（特許文献１の第５図参照）。
【０００７】
よって、当該包装体の運搬中等に当該包装体が振動した場合、上記物品の側面が上記開口周縁に当接し、これにより当該物品に傷が付いてしまうおそれがある。或いは、当該物品が精密電子機器等の場合は、上記当接による強い衝撃によって内部精密部品が破損してしまうおそれがある、という課題がある。
【０００８】
また、特許文献３の包装体では、長尺物の両端部を支持する場合、両端のフィルムが、物品の形状に応じて変形しているだけなので、両端の位置が定まらず、包装体に振動が加わった場合等において、物品の両端部にズレが生じ、その結果、物品の両端部が包装材の他の部分に当接して傷が付くおそれがある等の課題がある。
【０００９】
本発明は、上記従来の課題に鑑みてなされたものであり、包装体内において物品を緩衝状態で確実に支持し得る物品の緩衝支持部材を提供することを目的とする。
【００１０】
また、本発明は上記物品の緩衝支持部材を使用することにより、強い衝撃が加わった場合であっても内部の物品を確実に保護し得る包装装置を提供することを目的とする。
【課題を解決するための手段】
【００１１】
上記の目的を達成するため本発明は、
第１に、包装体の内部に設置されて物品を緩衝状態に支持する物品の緩衝支持部材であって、板状体に貫通孔を設け、該板状体の一方側面に熱可塑性合成樹脂薄フィルムを張設状態で貼着することにより上記貫通孔を当該フィルムにて閉鎖し、上記貫通孔を閉鎖している上記熱可塑性合成樹脂薄フィルムの面内であって、上記貫通孔の周縁から何れも離間した位置に、上記フィルムの平坦面を介して嵌合すべき物品の形状に対応する柔軟な物品嵌合凹部を塑性変形により形成し、上記板状体の上記貫通孔が形成されていない部分の側部を上記物品嵌合凹部の凹設方向に折曲して支持脚を形成すると共に、上記支持脚の折曲長さを上記物品嵌合凹部の深さより長く形成し、上記板状体を、上記支持脚の端部及び／又は側面が上記包装体内面に当接した状態で上記包装体に設置した状態において、上記包装体内面と上記物品嵌合凹部との間に物品緩衝空間が形成されるように構成したものであることを特徴とする物品の緩衝支持部材により構成される。
【００１２】
上記包装体内面は例えば前後内面（１ａ，１ａ）、コーナ内面（１ｆ，１ｆ）等をいう。支持脚の端部及び側面が包装体内面に当接した状態とは例えば図３の実施形態、支持脚の側面が包装体内面に当接した状態とは例えば図６、図９、図１２の実施形態、支持脚の端部が包装体内面に当接した状態とは例えば図７の実施形態をいう。このように構成すると、かかる物品の緩衝支持部材を例えば一対として、各フィルム面を対向し、各々の物品嵌合凹部内に物品の一端部と他端部を嵌合収納した状態で当該緩衝支持部材を包装体内に収納設置することにより、包装体内に物品緩衝空間を形成することができる。かかる状態において物品を、その各端部を貫通孔の周縁から何れも離間した位置にある物品嵌合凹部内において、その周囲のフィルムの平坦面の弾性により緩衝された状態で支持することができ、包装体内において物品を緩衝状態で確実に支持することができる。
【００１３】
第２に、上記支持脚は、上記板状体の上記貫通孔が形成されていない部分の一方の側部又は両方の側部又は四方の側部を折曲することにより形成されたものである上記第１記載の物品の緩衝支持部材により構成される。
【００１４】
このように構成すると、包装体内において、各支持脚によって物品緩衝空間を容易に形成することができ、簡単な構成により物品を緩衝状態に効果的に支持することができる。
【００１５】
第３に、上記板状体は段ボールシート又は厚紙又はプラスチック段ボール又はプラスチックシートである上記第１又は２記載の物品の緩衝支持部材により構成される。
【００１６】
このように板状体を段ボールシート又は厚紙又はプラスチック段ボール又はプラスチックシート等の強い衝撃を受けると板状体自体が変形して衝撃を吸収する弾性を有する板状体により構成することにより、強い衝撃が加わった場合において、物品嵌合凹部に収納された物品が貫通孔の周縁等に当接したとしても、段ボールシート等により構成された上記貫通孔の周縁等が弾性変形することにより、物品を効果的に保護することができる。
【００１７】
第４に、上記物品の緩衝支持部材を一対とし、これら緩衝支持部材を上記各熱可塑性合成樹脂薄フィルムが縦方向となるように上記包装体内の２箇所に設置すると共に、上記各設置箇所において上記支持脚を上記包装体内面に当接することにより上記包装体内面と上記物品嵌合凹部との間に上記物品緩衝空間を形成し、一方の上記緩衝支持部材の上記物品嵌合凹部に上記物品の一端部を嵌合し、他方の上記緩衝支持部材の上記物品嵌合凹部に上記物品の他端部を嵌合した状態において、上記物品を上記包装体内において、上記包装体内面に当接しない緩衝状態に支持し得るように構成したものであることを特徴とする上記第１〜３の何れかに記載の物品の緩衝支持部材を使用した包装装置により構成される。
【００１８】
上記包装体内面は例えば包装体の前後内面（１ａ，１ａ）、左右内面（１ｂ，１ｂ）、上下内面（１ｃ，１ｃ）等をいう。このように構成すると、物品の一端部と他端部を物品嵌合凹部内に嵌合した状態において熱可塑性合成樹脂薄フィルムの平坦面の弾性により物品を緩衝状態に支持することができ、物品の端部のズレを防止した状態で、当該物品を包装体内において効果的に緩衝状態に支持することができる。
【００１９】
第５に、上記物品の緩衝支持部材を一対とし、これら緩衝支持部材を上記各熱可塑性合成樹脂薄フィルムが水平方向となるように上記包装体内の２箇所に設置すると共に、上記各設置箇所において上記支持脚を上記包装体内面に当接することにより上記包装体内面と上記物品嵌合凹部との間に上記物品緩衝空間を形成し、一方の上記緩衝支持部材の上記物品嵌合凹部に上記物品の一端部を嵌合し、他方の上記緩衝支持部材の上記物品嵌合凹部に上記物品の他端部を嵌合した状態において、上記物品を上記包装体内において、上記包装体内面に当接しない緩衝状態に支持し得るように構成したものであることを特徴とする上記第１〜３の何れかに記載の物品の緩衝支持部材を使用した包装装置により構成される。
【００２０】
第６に、上記物品緩衝空間における上記包装体内面と上記緩衝支持部材との間に介在するものであり、上記包装体内面と上記緩衝支持部材の上記板状体との間に位置することで、上記物品緩衝空間の大きさを拡大し得るスペーサ部材を設けたものであることを特徴とする上記第４又は５記載の物品の緩衝支持部材を使用した包装装置により構成される。
【００２１】
このように構成すると上記スペーサ部材によって包装体の物品緩衝空間を拡大し得るため、スペーサ部材を介在することによって、より大きな緩衝空間が必要な場合に容易に対応することができる。
【発明の効果】
【００２２】
本発明によれば、物品の緩衝支持部材を例えば一対として、各々の物品嵌合凹部内に物品の一端部と他端部を嵌合収納した状態で当該緩衝支持部材を包装体内に収納設置することにより、上記物品を、上記フィルムの物品嵌合凹部内において、フィルムの平坦面の弾性により緩衝された状態で、しかもズレることなく支持することができ、当該包装体内において物品を緩衝状態で非常に効果的に支持することができる物品の緩衝支持部材を提供することができる。
【００２３】
また、包装体内において、各支持脚によって物品緩衝空間を容易に形成することができ、包装体内において、簡単な構成により物品を緩衝状態に効果的に支持することができるものである。
【００２４】
また、板状体を段ボールシート等の強い衝撃を受けると板状体自体が変形して衝撃を吸収する弾性を有する板状体により構成することにより、強い衝撃が加わった場合においても、段ボールシート等により構成された上記貫通孔の周縁等を弾性変形させることにより、物品を効果的に緩衝し保護することができる。
【００２５】
また、物品の一端部と他端部を物品嵌合凹部内に嵌合した状態において、熱可塑性合成樹脂薄フィルムの平坦面の弾性により、物品の端部のズレを防止した状態で、当該物品を包装体内において効果的に緩衝状態に支持することができる。
【００２６】
また、スペーサ部材によって包装体の物品緩衝空間を拡大し得るため、スペーサ部材を介在することによって、より大きな緩衝空間が必要な場合に容易に対応することができる。
【図面の簡単な説明】
【００２７】
【図１】本発明に係る物品の緩衝支持部材の斜視図であり、（ａ）は分解斜視図、（ｂ）、（ｃ）は同上緩衝支持部材の斜視図である。
【図２】同上緩衝支持部材を用いた包装装置の分解斜視図である。
【図３】（ａ）は同上包装装置の縦断面図、（ｂ）は（ａ）のＸ−Ｘ線断面図（横断面図）である。
【図４】（ａ）は同上包装装置の縦断面図、（ｂ）は（ａ）のＹ−Ｙ線断面図である。
【図５】同上緩衝支持部材に使用される段ボールシートの断面図である。
【図６】同上包装装置の横断面図である。
【図７】同上包装装置の縦断面図である。
【図８】同上物品の緩衝支持部材の斜視図である。
【図９】（ａ）は同上包装装置の横断面図、（ｂ）はスペーサ部材の斜視図である。
【図１０】（ａ）は同上緩衝支持部材の貫通孔近傍の正面図、（ｂ）は（ａ）のＺ−Ｚ線断面図、（ｃ）（ｄ）は同上緩衝支持部材の貫通孔近傍の正面図、（ｅ）は（ｄ）の斜視図である。
【図１１】同上緩衝支持部材の他の実施形態の正面図であり、（ａ）は４つの側部を有するもの、（ｂ）は２つの物品嵌合凹部を有するもの、（ｃ）は２つの貫通孔を有するものである。
【図１２】（ａ）（ｂ）ともに同上包装装置の他の実施形態を示すものであり、何れも当該包装装置の横断面図である。
【発明を実施するための形態】
【００２８】
以下、本発明における物品の緩衝支持部材及び包装装置について詳細に説明する。
【００２９】
本発明は、包装体１（図２参照）の内部に設置されて物品Ｇを緩衝状態に支持する物品の緩衝支持部材２（図１（ｃ）参照）により構成されている。
【００３０】
この物品の緩衝支持部材２は、図１（ａ）に示すように、段ボールシートにより構成された長方形の板状体３に長方形の貫通孔４を貫通形成し、該板状体３の一方側面３ａに熱可塑性合成樹脂薄フィルム５を接着剤を以って張設状態（ピンと張った状態）に貼着することにより、上記貫通孔４を当該フィルム５にて閉鎖する。
【００３１】
この板状体３の形状は長方形に限定されることはなく、設置位置に応じて任意の形状に構成することができる。例えば、図１１（ａ）に示すように、四方に４箇所の折曲用の側部３ｂが形成された形状に形成しても良い。また、上記貫通孔４の形状も長方形に限らず、収納すべき物品の形状に応じて楕円形、円形その他、図１０（ｄ）に示すような長方形の貫通孔４Ａの一辺４’に小長方形の貫通孔４Ｂが一体に形成された平面視「凸」形状の貫通孔４等の各種の形状に形成することができる。
【００３２】
上記接着剤は、例えばホットメルト接着剤を上記板状体３の上記一方側面３ａ全面に塗布し、上記フィルム５と上記一方側面３ａ全体を接着する。また、易剥離性の接着剤を用いることもでき、この場合板状体３の廃棄時に、フィルム５を板状体３から容易に剥離して、板状体３とフィルムとを分別廃棄することができる。
【００３３】
そして、上記貫通孔４を閉鎖している上記熱可塑性合成樹脂薄フィルム５の面内であって、上記貫通孔４の全部の周縁４ａから何れも離間した位置、図１（ｂ）の場合は貫通孔４の略中央部に、周囲に上記フィルム５の張設状態の平坦面５’を介して、嵌合すべき物品Ｇの形状に対応する物品嵌合凹部６を塑性変形により形成する。図１の場合は、凹部側面６’は略長方形状となっている。
【００３４】
上記熱可塑性合成樹脂薄フィルム５は、その厚さが１０μｍ〜３００μｍの極めて薄い柔軟性のあるフィルムであり、その材質はポリエチレン、ポリプロピレン、ポリウレタン、ポリスチレン等の薄膜透明又は半透明の熱可塑性フィルムが用いられる。従って、上記物品嵌合凹部６は塑性変形後も柔軟性を有している。
【００３５】
上記物品嵌合凹部６の成型方法は、例えばいわゆる真空成型法によって形成されるもので、その形状は嵌合される物品Ｇの形状に応じて任意である。よって、図１（ｂ）に示すように上面周縁６ａが長方形であって、凹部側面６’の形状も、図２に示す方形板状の物品Ｇの直方体形状の端部８ａ又は８ｂを嵌合するため、略長方形状となるように構成することができる。また、上記物品嵌合凹部６は、図１０（ａ）（ｂ）に示すように、上面周縁６ａが長方形であって、凹部側面６’も長方形状になるように形成し、さらに凹部６底面にさらに低い凹状底部６”を形成することもできる。また、図１０（ｄ）に示すように、嵌合すべき物品Ｇの端部が「凸」形状である場合は、その端部形状にあわせて、貫通孔４を上述の平面視「凸」形状とし、物品嵌合凹部６もその上面周縁６ａを上記平坦面５’を介して上記貫通孔４と相似形状の平面視「凸」形状とし、上記上面周縁６ａに沿う凹部側面６’を形成することもできる（図１１（ｅ）参照）。
【００３６】
また、上記物品嵌合凹部６は、上述のように、上記貫通孔４を閉鎖している上記熱可塑性合成樹脂薄フィルム５の面内であって、上記貫通孔４の全部の周縁４ａから何れも離間した位置に設けられているので、上記物品収納凹部６の上面周縁６ａ全周（図１（ｂ）参照）から上記貫通孔４の周縁４ａの全周との間に、平坦であって、かつ、張設状態（ピンと張った状態）のフィルムの上記平坦面５’が形成された状態となっている。
【００３７】
上記貫通孔４内の上記フィルム５面における物品嵌合凹部６の形成位置も任意であり、図１（ｂ）に示すように、上記貫通孔４のフィルム５の面の中央部に限らず、図１０（ａ）に示すように貫通孔４の上辺寄りの位置、又は同図（ｃ）に示すように貫通孔４の下辺寄りの位置等、任意の位置に設けることができる。
【００３８】
また、上記物品嵌合凹部６は、図１１（ｂ）に示すように、１つの貫通孔４のフィルム５面内に２つ又は２以上の物品嵌合凹部６，６を形成しても良い。この場合も、上記周縁４ａと上記物品嵌合凹部６，６の上面周縁６ａとの間、及び隣接する上記物品嵌合凹部６，６間のフィルム５には、フィルム５の上記平坦面５’が形成されている。さらに、図１１（ｃ）に示すように、１枚の板状体３に２つ又は２以上の貫通孔４，４を形成し、各貫通孔４，４内に上記と同様の物品嵌合凹部６，６を形成しても良い。この場合、各貫通孔４内に２以上の物品嵌合凹部６を形成しても良い。
【００３９】
そして、上記フィルム５の上記平面部５’は上記貫通孔４において張設状態となっているため、図３に示すように、上記物品嵌合凹部６に物品Ｇを嵌合した状態で、当該フィルム５を垂直方向に立設しても、上記物品Ｇの下方に位置するフィルム５の平坦面５’は潰れることはなく、張設状態を維持し得るように構成されている。
【００４０】
従って、上記物品嵌合凹部６に物品Ｇの端部８ａ又は８ｂを嵌合した状態において、物品Ｇは、その周囲に形成された張設状態のフィルム５の平坦面５’によって支持されると共に緩衝された状態となり（図３参照）、図３の収納状態において、物品Ｇに振動が与えられても、当該物品Ｇが上記貫通孔４の周縁４ａに当接することを効果的に抑制することができ、物品Ｇを緩衝状態で支持することができる。
【００４１】
この物品の緩衝支持部材２の上記板状体３を形成する段ボールシートは、図５に示す一般的な段ボールシート、即ち、内部に波型の中芯３ｄを挟んで上下にライナー３ｅ，３ｅを接着した構成であり、例えばＢフルートの段ボールシートを使用することができる。尚、段ボールシートの厚さ、フルート構成もこれに限定されず、収納すべき物品Ｇの形状等に応じて適宜設定することができる。さらに、上記板状体３の材質としては、収納物品に応じて、段ボールシートに限らず、厚紙（厚さが例えば１ｍｍ〜３ｍｍ程度）、プラスチック段ボール、プラスチックシート（厚み１ｍｍ程度）等、板の形状を維持し得ると共に強い衝撃を受けると変形し得る衝撃吸収性を有する板状体を使用することもできる。
【００４２】
このように板状体３として段ボールシート等の上記材質のシートを使用することにより、例えば図３の物品Ｇの包装体１の収納状態において、当該包装体１に非常に強い衝撃が加わり、当該物品Ｇが上記フィルム５の平坦面５’の緩衝範囲を超えて上記貫通孔４の周縁４ａに当接したとしても、上記板状体３自体が段ボールシート等の衝撃吸収性のあるシートであるので、上記貫通孔４の周縁４ａが変形することで、当該周縁４ａにおいても衝撃を吸収することができ、当該物品Ｇを緩衝支持部材２全体で保護することができる。
【００４３】
図１（ｂ）に示すように、上記板状体３は、その上記貫通孔４が形成されていない両側部分に折目線３ｇ（凹状の直線溝）を設け、折目線３ｇより外側の両方の側部３ｂ，３ｂを、上記物品嵌合凹部６の形成方向（凹設方向）に折曲して支持脚７，７を形成する（図１（ｃ）参照）。図１１（ｂ）（ｃ）に示す緩衝支持部材２も同様に折目線３ｇから上記物品嵌合凹部６の凹設方向に折曲して支持脚７を形成する。尚、図１１（ａ）に示す緩衝支持部材２は、４か所の側部３ｂを物品嵌合凹部６の凹設方向に９０度折曲することにより、板状体３の四方に４か所の支持却７を形成する。
【００４４】
上記支持脚７，７の折曲長さＴは、上記物品嵌合凹部６の深さｔ（図３（ｂ）参照）より長く形成し（Ｔ＞ｔ）、図２矢印Ｎ，Ｎに示すように、上記板状体３を、上記支持脚７，７の端部７ａ，７ａ及び側面７ｂ，７ｂを上記包装体１前方内面１ａ，後方内面１ａ、左右内面１ｂ，１ｂに当接させた状態で、上記包装体１に設置した状態において（図３（ａ）（ｂ）参照）、上記包装体内面１ａ，１ａと上記物品嵌合凹部６，６との間に物品緩衝空間Ｓ，Ｓが形成されるように構成する（図１１（ａ）〜（ｃ）も同様）。
【００４５】
上記支持脚７，７は図２に示すように、上記板状体３の面に対して直角に折曲しても良いが、必ずしも直角とは限らず、図６に示すように当該物品の緩衝支持部材２を包装体１のコーナ部Ｋ３にて使用する場合は、そのコーナ部Ｋ３の角度に応じて任意の角度θ（鋭角）に折曲しても良い。図６は包装体１の対向する２か所のコーナ部Ｋ３に２つの緩衝支持部材２を設けた実施形態であるが、図１２（ａ）（ｂ）に示すように、包装体１の四か所のコーナ部Ｋ３に各々４つの緩衝支持部材２を設け、これら４つの緩衝支持部材２の物品嵌合凹部６にて例えば十字状の物品Ｇの各端部８（図１２（ａ））、或いは方形の物品Ｇの各コーナ部８を宙吊り状態で支持するように構成することもできる。
【００４６】
また、上記支持脚７，７は、図１（ｃ）の場合は、上記板状体３の上記貫通孔４が形成されていない部分の上記両方の側部３ｂ，３ｂを折曲することにより形成されたものであるが、両側部３ｂ，３ｂに限らず、図７に示すように、一方の側部３ｂのみを折曲し、一つの板状体３に一つの支持脚７を形成し、Ｌ字型の物品の緩衝支持部材２としても良い。
【００４７】
また、図１（ｃ）は上記支持脚７，７は、上記貫通孔４の周縁４ａより外側の板状体３を折曲することにより形成したが、図８に示すように、上記支持脚７，７は、上記板状体３の上記貫通孔４が形成されていない部分であって、上記板状体３の上記貫通孔４の左右の周縁４ａに沿った部分４ａ’，４ａ’を折曲するように構成しても良い。
【００４８】
次に、本発明に係る物品の緩衝支持部材２を包装体１内に設置し、物品Ｇ（化粧用ケース、電子機器等）を収納する方法を説明する。尚、上記物品の緩衝支持部材２を包装体１に設置したもの（図３参照）を包装装置という。
【００４９】
包装体１としては、図２に示すように、開口部１ｄが略正方形状又は略長方形状等からなる箱体であり、開口部１ｄの一縁１ｅに上記開口部１ｄを開閉する蓋体１ｄ’を有するものである。
【００５０】
図２に示すように、上記物品の緩衝支持部材２を２つ用意して一対とし、これら緩衝支持部材２，２を各フィルム５，５が縦方向（垂直方向）となるように包装体１内の２箇所Ｋ１，Ｋ２に設置すると共に（図３参照）、上記各設置箇所Ｋ１，Ｋ２において上記支持脚７，７の端部７ａ,７ａを包装体の前後の内面１ａ，１ａに当接し、かつ側面７ｂ，７ｂを上記包装体内面１ｂ，１ｂに当接することにより、上記包装体内面１ａと上記物品嵌合凹部６との間に物品緩衝空間Ｓ，Ｓを形成する（図３参照）。
【００５１】
そして、一方の上記緩衝支持部材２の上記物品嵌合凹部６に上記物品Ｇの一端部８ａを嵌合し、他方の上記緩衝支持部材２の上記物品嵌合凹部６に上記物品Ｇの他端部８ｂを嵌合した状態において、上記物品Ｇを上記包装体１内において、上記包装体１の何れの内面（左右内面１ｂ，１ｂ、上下内面１ｃ，１ｃ）にも当接しない宙吊り緩衝状態に支持する（図３参照）。
【００５２】
より具体的には、上記物品の緩衝支持部材２の上記支持脚７，７を互いに物品嵌合凹部６の方向にフィルム５面（板状体３の面）に対して直角に折り曲げ、その状態で、物品嵌合凹部６の開口部（上面周縁６ａ）側を対向させて、上記フィルム５，５の平坦面５’，５’同士を対向させ、一方の物品嵌合凹部６に物品Ｇの一端部８ａを嵌合し、他方の物品嵌合凹部６に物品Ｇの他端部８ｂを嵌合し、その状態で、上記物品Ｇと上記物品の緩衝支持部材２，２共々、図２の矢印Ｎ，Ｎ方向に示すように上記包装体１内の前後端部位置Ｋ１，Ｋ２に収納する（図３の状態）。
【００５３】
すると、上記各物品の緩衝支持部材２の上記支持脚７，７はその端部７ａ，７ａが上記包装体１の前側の内面１ａ及び後側の内面１ａに各々当接すると共に、上記支持脚７，７の側面７ｂ，７ｂが上記包装体１の左右内面１ｂ，１ｂに当接して、当該設置箇所、本実施形態においては、直方体形状の包装体１において、前後端の上記位置Ｋ１，Ｋ２に固定的に設置される。
【００５４】
かかる設置状態においては、図３に示すように物品Ｇの一端部８ａが一方の物品嵌合凹部６に嵌合密着し、物品Ｇの他端部８ｂが他方の物品嵌合凹部６に嵌合密着した状態で、当該物品Ｇが張設状態の上記フィルム５の平坦部５’によって支持されており、上記物品Ｇの両端部８ａ，８ｂは上記包装体１の前後の上記物品緩衝空間Ｓ，Ｓにおいて、前後の内面１ａ，１ａに当接することなく緩衝状態で支持されている。かつ上記物品Ｇの上記各物品嵌合凹部６，６に嵌合された両端部以外の部分（物品Ｇの中間部）８ｃは、上記包装体１の何れの内面１ａ，１ｂ，１ｃにも当接しない、いわゆるサイドパックの状態で宙吊り緩衝状態に支持される。
【００５５】
勿論、当該物品Ｇの支持状態においては、上記物品嵌合凹部６に嵌合密着した上記物品Ｇ（一端部８ａ、他端部８ｂ）も包装体内面１ａ，１ｂ，１ｃ及び上記貫通孔４の周縁４ａの何れにも当接していない宙吊り緩衝状態となっている。
【００５６】
上記物品嵌合凹部６は、非常に薄い熱可塑性合成樹脂薄フィルム５によって塑性変形状態にて形成されているので柔軟性を有しており、上記物品５の端部８ａ又は８ｂを嵌合すると、これら端部８ａ，８ｂに密着し、これらの端部８ａ，８ｂを上記貫通孔４の略中央部において確実に支持する。その後、包装体１の上記蓋体１ｄ’を閉じて当該包装体１の開口部１ｄを閉鎖すれば良い。
【００５７】
上記物品Ｇは上記包装体１内の収納状態においては、上記フィルム５の張設状態（ピンと張った状態）の平坦面５’の弾性によって支持されており、上記包装体１に衝撃が加わった場合であっても、上記フィルム５の平坦面５’の弾性によって衝撃が吸収され、上記物品Ｇに多少の振動は生ずるが、当該物品Ｇの端部８ａ，８ｂ及び両端部以外の部分８ｃは上記包装体１の内面１ａ，１ｂ，１ｃは勿論、上記貫通孔４の周縁４ａにも当接することはなく、上記物品Ｇを効果的に緩衝状態で支持することができる。
【００５８】
そして、上記物品Ｇは上記物品嵌合凹部６，６に嵌合した状態で、上記フィルム５の平坦面５’によって上記貫通孔４の略中央部において支持されているので、上記蓋体１ｄ’を閉鎖した状態において、上記物品Ｇが貫通孔４内において位置ずれすることもなく、当該包装体１の天地をどの方向に向けても、上記物品Ｇを安定した緩衝状態で支持することができる。
【００５９】
また、上記物品Ｇの包装状態において、上記包装体１に非常に強い衝撃が加わった場合、例えば、上記包装体１をある程度の高さから落とした場合等においては、上記物品Ｇが上記フィルム５の平坦面５’の緩衝範囲を超えた弾性変形によって上記貫通孔４の周縁４ａに当接することがあるが、物品の緩衝支持部材２の板状体３自体が段ボールシート等の強い衝撃を受けると板状体３自体が変形して衝撃を吸収する弾性を有する板状体により構成されているので、上記物品Ｇが上記貫通孔４の周縁４ａに当接したとしても、当該周縁４ａが変形することで物品Ｇに対する衝撃を吸収することができる。
【００６０】
従って、包装体１に強い衝撃が加わっても上記物品Ｇに傷が付いたり、損傷を受けることを効果的に防止することができる。
【００６１】
上記物品Ｇを収納する上記包装体１は、図４（ａ）（ｂ）に示すように、図３の包装体を９０度回転し、上記物品の緩衝支持部材２，２の上記フィルム５を水平方向に向けた状態（いわゆる天地パックの状態）で、上記物品Ｇを支持しても良い。この場合、包装体１の蓋体１ｄ’は、包装体１の上面側（図３においては側面側）に設けることができる。
【００６２】
即ち、図４（ａ）に示すように、上記緩衝支持部材２，２を一対とし、これら緩衝支持部材２を各フィルム５が水平方向となるように包装体１内の２箇所Ｋ１，Ｋ２（上部と下部）に設置すると共に、上記各設置箇所Ｋ１，Ｋ２において上記支持脚７を包装体内面１ａ，１ａ（この場合、一方の内面１ａは蓋体１ｄ’の内面）に当接させることにより、上記包装体内面１ａ，１ａと上記物品嵌合凹部６，６との間に物品緩衝空間Ｓ，Ｓを形成し、一方の上記緩衝支持部材２の上記物品嵌合凹部６に上記物品Ｇの一端部８ａを嵌合し、他方の上記緩衝支持部材２の上記物品嵌合凹部６に上記物品Ｇの他端部８ｂを嵌合した状態において、上記物品Ｇを上記包装体１内において、上記包装体１の内面１ａ，１ｂ，１ｃに当接しない緩衝状態に支持し得るように構成したものである。
【００６３】
かかる設置状態においても、図４（ａ）（ｂ）に示すように物品Ｇの一端部８ａが一方の物品嵌合凹部６に嵌合密着し、物品Ｇの他端部８ｂが他方の物品嵌合凹部６に嵌合密着した状態で、当該物品Ｇが張設状態の上記フィルム５の平坦部５’によって宙吊り状態で支持されており、上記物品Ｇの両端部８ａ，８ｂは上記包装体１の上記物品緩衝空間Ｓ，Ｓにおいて緩衝状態で支持され、かつ上記物品Ｇの上記各物品嵌合凹部６，６に嵌合された両端部以外の部分８ｃは、上記包装体１の何れの内面１ａ，１ｂ，１ｃにも当接しない宙吊り緩衝状態に支持される。
【００６４】
この状態で、包装体１の上記蓋体１ｄ’を閉じて当該包装体１の開口部１ｄを閉鎖すれば良い。図４に示す実施形態においても、上記図３に示した包装装置と同様の効果を得ることができる。
【００６５】
図６に示すものは、本発明の他の実施形態であり、物品の緩衝支持部材２を包装体１のコーナ部Ｋ３に設けたいわゆるコーナーパックの状態のものである。
【００６６】
この場合、上記緩衝支持部材２，２を一対とし、これら緩衝支持部材２，２を各フィルム５が垂直方向となるように包装体１内のコーナの２箇所Ｋ３，Ｋ３に設置する。この場合、上記緩衝支持部材２，２の支持脚７，７を貫通孔４の形成された板状体３の面に対して、直角より鋭角の角度θまで折曲し、その外面７ｂ，７ｂを上記コーナ部Ｋ３の直交する内面１ｆ，１ｆに各々当接させる。
【００６７】
そして、上記包装体内面１ｆ，１ｆと上記物品嵌合凹部６，６との間に物品緩衝空間Ｓ，Ｓを形成し、一方の上記緩衝支持部材２の上記物品嵌合凹部６に上記物品Ｇの一端部８ａを嵌合し、他方の上記緩衝支持部材２の上記物品嵌合凹部６に上記物品Ｇの他端部８ｂを嵌合した状態において、上記物品Ｇを上記包装体１内において、上記包装体１の内面１ｆに当接しない緩衝状態に支持し得るように構成する。
【００６８】
このように構成しても、図３、図４に示す包装装置と同様に、上記物品Ｇを緩衝状態に確実に支持することができる。
このコーナーパックの包装装置は、図１２（ａ）（ｂ）に示すように、立方体又は直方体の包装体１の４つのコーナＫ３に各々緩衝支持部材２を設け、各緩衝支持部材２のフィルム５の物品嵌合凹部６にて十字状の物品Ｇの各端部８（図１２（ａ）参照）、又は方形の物品Ｇの各コーナの端部８（図１２（ｂ）参照）を嵌合保持するように構成しても良い。このように構成しても、図３、図４に示す包装装置と同様に、上記物品Ｇを緩衝状態に確実に支持することができる。
【００６９】
図７に示すものは、１つの物品の緩衝支持部材２に１つの支持脚７を設け、当該緩衝支持部材２の全体をＬ字型に形成したものである。この場合、図７に示すように、上記１対の緩衝支持部材２，２の対向する物品嵌合凹部６，６にて物品Ｇの各端部８ａ，８ｂを嵌合支持し、かかる状態で上記包装体１の前後端部位置Ｋ１，Ｋ２に、上記支持脚７，７が上部側に位置した状態で収納配置する。
【００７０】
このように構成すると、上記支持脚７，７の端部７ａ，７ａが上記包装体１の内面１ａ，１ａに当接することで、上記内面１ａ，１ａと上記物品嵌合凹部６，６との間に物品緩衝空間Ｓ，Ｓが形成され、上記図３、図４の包装体１と同様に、上記物品Ｇを緩衝状態で支持することができる。かかる図７の実施形態においても、図３、図４と同様の効果を得ることができる。尚、図７の実施形態においては、板状体３の縦方向の高さを包装体１の高さより低く形成し、支持脚７の端部７ａのみが包装体内面１ａに当接し、支持脚７の側面７ｂが包装体１の内面（この場合蓋体１ｄ’の内面１ｃ）に当接しない状態としても良い。この緩衝支持部材２によると、簡易な構成の緩衝支持部材２によって物品を緩衝状態に効果的に支持することができる。
【００７１】
図９に示すものは、さらに本発明に係る物品の緩衝支持部材の他の実施形態である。この物品の緩衝支持部材２，２の包装体１内への設置構造は、図３（ａ）（ｂ）に示す物品の緩衝支持部材２と同様であるが、上記物品緩衝空間Ｓ，Ｓにおける上記包装体内面１ａ，１ａと上記緩衝支持部材２，２との間に図７（ｂ）に示す「コ」字状のスペーサ部材１０,１０を介在させたものである。
【００７２】
上記スペーサ部材１０も段ボールシート等の強い衝撃を受けると板状体３自体が変形して衝撃を吸収する弾性を有する板状体により構成されており、本体部１０ａとその両端を直角に折曲することにより構成された支持脚１０ｂ，１０ｂとにより構成されている（図９（ｂ）参照）。そして、上記スペーサ部材１０を上記包装体１の前後端部位置Ｋ１，Ｋ２にその本体部１０ａが上記包装体１の内面１ａ，１ａに各々密着するように設置する。
【００７３】
その後、上記物品の緩衝支持部材２，２の支持脚７，７が上記スペーサ部材１０の支持脚１０ｂ，１０ｂと上記包装体１の内面１ｂ，１ｂとの間に位置し、かつ上記スペーサ部材１０の支持脚１０ｂ，１０ｂの端部１０ｂ’，１０ｂ’が上記緩衝支持部材２の板状体３の他方側面（背面）３ｃに当接した状態で上記包装体１内の上記前後端Ｋ１，Ｋ２に設置する。
【００７４】
このように構成すると、上記スペーサ部材１０の支持脚１０ｂの端部１０ｂ’と上記板状体３の他方側面３ｃとの接触によって、上記物品緩衝空間Ｓを拡大することができ、より衝撃吸収性の高い包装体１を構成することができる。尚、上記物品緩衝空間Ｓの大きさは上記支持脚１０ｂの幅によって調整可能である。
【００７５】
即ち、このスペーサ部材２７は、上記包装体１内面１ａと上記緩衝支持部材２の上記板状体３との間に介在することにより、上記物品緩衝空間Ｓの大きさを拡大し得るという効果がある。
【００７６】
図１１（ａ）に示す緩衝支持部材２は、その四箇所（四方）の側部３ｂを物品嵌合凹部６の凹設方向に各々直角に折曲して下面開口箱状に成形し、当該単独の緩衝支持部材２を包装体１内に上記フィルム５面を上面として収納し、上記物品嵌合凹部６内に物品Ｇを嵌合した状態で、当該物品Ｇを緩衝状態で収納支持することができる。
【００７７】
また、上記図１１（ｂ）（ｃ）に示す緩衝支持部材２においても、その二箇所の側部３ｂを物品嵌合凹部６の凹設方向に各々直角に折曲し、当該各単独の緩衝支持部材２を包装体１内に上記フィルム５面を上面として収納し、上記物品嵌合凹部６内に物品Ｇを嵌合した状態で、当該物品Ｇを緩衝状態で収納支持することができる。
【００７８】
このように緩衝支持部材２を単独で使用しても、上記物品Ｇを上記フィルム５の平坦面５’の弾性により、緩衝状態で支持し得ると共に、強い衝撃が加わった場合は、上記貫通孔４の周縁４ａの弾性変形により、上記物品Ｇを緩衝状態で効果的に支持することができる。また、図１１（ｂ）の緩衝支持部材２によると、同一フィルム５であっても物品嵌合凹部６がフィルム５の平坦面５’を介して個別に形成されているので、振動が加わっても物品Ｇ同士が位置ずれして衝突することを効果的に防止し得る。
【００７９】
勿論、図１１（ａ）乃至（ｃ）の衝撃支持部材２においても、一対としてフィルム５面が対向するようにして、物品Ｇの端部を各物品嵌合凹部６，６にて宙吊り状態で支持するように構成しても良い。
【００８０】
以上の実施形態においては、一対の物品の緩衝支持部材２，２の熱可塑性合成樹脂薄フィルム５，５の面が対向するものであるが、本発明はこれに限らず、上記物品Ｇが例えば長尺物であって、上記物品Ｇの一端部８ａと他端部８ｂとが互いに９０度又はその他の角度にて屈曲しているような場合であっても、上記物品Ｇの一端部８ａと他端部８ｂの各々を、包装体内の位置Ｋ１，Ｋ２において、物品の緩衝支持部材２，２にて保持し、上記物品Ｇの両端部にて当該物品Ｇを緩衝状態に支持するように構成することもできる。また、上述のように緩衝支持部材２を包装体１内で単独で使用することもできる。
【００８１】
以上のように、本発明によれば、物品の緩衝支持部材２を例えば一対として、各熱可塑性合成樹脂薄フィルム５，５面を対向し、各々の物品嵌合凹部６，６内に物品Ｇの一端部８ａと他端部８ｂを嵌合収納した状態で、当該緩衝支持部材２，２を包装体１内に収納設置することにより、上記物品Ｇを、上記フィルム５の物品嵌合凹部６内において、フィルムの平坦面５’の弾性により効果的に緩衝された状態で、しかもズレることなく支持することができ、当該包装体１内において物品Ｇを緩衝状態で非常に効果的に支持することができるものである。
【００８２】
また、包装体１内において、各支持脚７，７によって物品緩衝空間Ｇを容易に形成することができ、包装体１内において、簡単な構成により物品Ｇを緩衝状態に効果的に支持することができるものである。
【００８３】
また、板状体３を段ボールシート等の強い衝撃を受けると板状体３自体が変形して衝撃を吸収する弾性を有する板状体により構成することにより、強い衝撃が加わった場合においても、段ボールシートにより構成された上記貫通孔４の周縁４ａ等を弾性変形させることにより、物品Ｇを効果的に緩衝し保護することができる。
【００８４】
また、物品Ｇの一端部８ａと他端部８ｂを物品嵌合凹部６内に嵌合した状態において、熱可塑性合成樹脂薄フィルム５の平坦面５’の弾性により、物品Ｇの端部８ａ，８ｂのズレを防止した状態で、当該物品Ｇを包装体１内において効果的に緩衝状態に支持することができる。
【００８５】
また、スペーサ部材１０によって包装体１の物品緩衝空間Ｓを拡大し得るため、スペーサ部材１０を介在させることによって、より大きな緩衝空間が必要な場合に簡単に対応することができる。
【産業上の利用可能性】
【００８６】
本発明に係る物品の緩衝支持部材、包装装置は、化粧品、電子部品等の小型の物品に限らず、建具の部品等の長尺物品、或いは屈曲した長尺物品等においても適用することができ、幅広い物品の緩衝支持部材、包装装置として広く利用することができるものである。
【符号の説明】
【００８７】
１              包装体
１ａ            内面（前後）
１ｂ            内面（左右）
１ｃ            内面（上下）
２              物品の緩衝支持部材
３              板状体
３ａ            一方側面
３ｂ            側部
４              貫通孔
４ａ            周縁
５              熱可塑性合成樹脂薄フィルム
５’            平坦面
６              物品嵌合凹部
７              支持脚
７ａ            端部
７ｂ            側面
８ａ            一端部
８ｂ            他端部
１０            スペーサ部材
【図１】
2014076847.tif 000003
【図２】
2014076847.tif 000004
【図３】
2014076847.tif 000005
【図４】
2014076847.tif 000006
【図５】
2014076847.tif 000007
【図６】
2014076847.tif 000008
【図７】
2014076847.tif 000009
【図８】
2014076847.tif 000010
【図９】
2014076847.tif 000011
【図１０】
2014076847.tif 000012
【図１１】
2014076847.tif 000013
【図１２】
2014076847.tif 000014